(57)【要約】  【課題】一緒にバンド練習したときの録音をネットワークを利用して効率的に頒布できる録音データ配信システムを提供する。  【解決手段】会員バンドが練習スタジオ施設Ｓでバンド演奏の練習をするとき、録音装置１を貸し出す。この録音装置１でバント演奏を録音する。練習が終了すると、録音装置１をアップロード装置２に接続して録音データをサーバ装置４にアップロードする。アップロードののち録音装置１はスタジオに返却される。バンドメンバは、そのまま帰宅し、自宅Ｈのパソコン５でサーバ装置４にアクセスし、バンドのディレクトリにアップロードしておいた録音データをダウンロードしてそのパソコンまたはオーディオ装置で再生する。これにより、バンドメンバは、練習終了後、録音テープ等を持ち帰る必要がなくなるとともに、複数のバンドメンバにダビング・頒布するという手間を省くことができる。【選択図】  図１
2005316891.tif 000002
【特許請求の範囲】
【請求項１】
スタジオ施設に備えられた可搬の録音装置、同じくスタジオ施設に設置されたアップロード装置、インターネットに接続されたサーバ装置、および、複数のユーザ端末装置からなる録音データ配信システムであって、
アップロード装置は、録音装置を接続するインタフェースと、サーバ装置と通信する通信手段とを備え、
録音装置は、マイクと、マイクから入力された音声信号を録音データとして記憶する記憶手段と、アップロード装置に接続するインタフェースとを備え、
サーバ装置は、アップロード装置からアップロードされてきた録音データを記憶する録音データ記憶手段と、アップロード装置およびユーザ端末装置と通信する通信手段とを備え、
アップロード装置の通信手段は、インタフェースに録音装置が接続されたとき、録音装置から録音データを読み取ってサーバ装置にアップロードし、
サーバ装置の通信手段は、各ユーザ端末装置からアクセスがあったとき、このユーザ端末装置に録音データ記憶手段に記憶している録音データをダウンロードする録音データ配信システム。
【請求項２】
サーバ装置は、アップロード装置から送信されてきた認証データを認証したのち、録音データのアップロードを許可し、ユーザ端末装置から送信されてきた認証データを認証したのち、この認証データに対応する録音データをダウンロードする請求項１に記載の録音データ配信システム。
【請求項３】
録音装置は、記憶手段に複数の録音データを記憶しており、
アップロード装置は、録音手段の記憶手段に記憶されている複数の録音データのなかから選択された録音データのみをサーバ装置にアップロードする請求項１または請求項２に記載の録音データ配信システム。
【請求項４】
サーバ装置は、録音データ記憶手段に複数の録音データを記憶しており、ユーザ端末装置によって選択された録音データのみを当該ユーザ端末装置に対してダウンロードする請求項１、請求項２または請求項３に記載の録音データ配信システム。
【請求項５】
アップロード装置は、録音データをサーバ装置にアップロードしたのち、録音装置の記憶手段の録音データを自動消去する請求項１乃至請求項４のいずれかに記載の録音データ配信システム。
【請求項６】
アップロード装置は、一時記憶手段を備え、録音データを録音装置から一時記憶手段にコピーしたのちサーバ装置にアップロードし、アップロード完了後、一時記憶手段にコピーした録音データを消去する請求項１乃至請求項５のいずれかに記載の録音データ配信システム。
【請求項７】
サーバ装置は、アップロード装置からアップロードされてから一定期間が経過したとき、録音データを消去する請求項１乃至請求項６に記載の録音データ配信システム。
【請求項８】
サーバ装置は、ユーザ端末装置によるダウンロード回数が所定回数に達したとき、録音データを消去する請求項１乃至請求項６に記載の録音データ配信システム。
【発明の詳細な説明】
【技術分野】
【０００１】
この発明は、複数のメンバからなるバンドが練習スタジオで録音した録音データを自宅で再生するための録音データ配信システムに関する。
【背景技術】
【０００２】
近年、音楽活動においてロックバンド等のバンド活動が活発である。バンド活動は、複数のメンバが一緒に演奏することで、一人で演奏するソロにはない音色の豊さを発揮するものである。このようなバンド演奏活動にも、ネットワーク技術を適用することが試みられている。
【０００３】
たとえば、特許文献１には、ネットワーク上でバンドメンバを募り、ネットワーク上で合奏するネットワーク演奏システムが提案されている。このシステムは、ネットワーク上に各バンドメンバが操作する複数の端末とサーバ装置を接続したものであり以下のような機能を有している。
各バンドメンバが、自分の演奏の複数のフレーズデータを予めサーバに登録する。演奏時、各バンドメンバは、所定のタイミングにいずれかのフレーズの読み出しキューをサーバに送信し、サーバはこの読み出しキューに応じてフレーズデータを読み出してマージすることにより、合奏（バンド演奏）の演奏データを録音する。
【特許文献１】特開平１１−２１９１７４号公報
【発明の開示】
【発明が解決しようとする課題】
【０００４】
しかし、バンド演奏というものは、上記のように複数のメンバが一堂に会して一緒に演奏することによって初めて独特の盛り上がりを見せるものであり、上記特許文献１のように、各バンドメンバがリモートで予め登録したフレーズデータの再生をしても、本来のバンド演奏による盛り上がりを得ることは不可能であった。
【０００５】
その一方で、スタジオ等に集まって一緒にバンド演奏の練習をした場合に、その練習を録音したテープをバンドメンバ全員に頒布するためには、ダビングや郵送などの手間がかかるため、バンドメンバは演奏以外のことで時間を取られてしまうという問題点があった。また、郵送しないで次の練習のときにバンドメンバに頒布する場合もあるが、これでは事前に練習するときの参考にならないという問題点もあった。したがって、バンド演奏の練習において、この録音の頒布にネットワーク技術を適用する余地があると考えられる。
【０００６】
この発明は、一緒にバンド練習したときの録音をネットワークを利用して効率的に頒布できる録音データ配信システムを提供することを目的とする。
【課題を解決するための手段】
【０００７】
請求項１の発明は、スタジオ施設に備えられた可搬の録音装置、同じくスタジオ施設に設置されたアップロード装置、インターネットに接続されたサーバ装置、および、複数のユーザ端末装置からなる録音データ配信システムであって、アップロード装置は、録音装置を接続するインタフェースと、サーバ装置と通信する通信手段とを備え、録音装置は、マイクと、マイクから入力された音声信号を録音データとして記憶する記憶手段と、アップロード装置に接続するインタフェースとを備え、サーバ装置は、アップロード装置からアップロードされてきた録音データを記憶する録音データ記憶手段と、アップロード装置およびユーザ端末装置と通信する通信手段とを備え、アップロード装置の通信手段は、インタフェースに録音装置が接続されたとき、録音装置から録音データを読み取ってサーバ装置にアップロードし、サーバ装置の通信手段は、各ユーザ端末装置からアクセスがあったとき、このユーザ端末装置に録音データ記憶手段に記憶している録音データをダウンロードする。
【０００８】
この発明では、バンドがスタジオで練習するとき、録音装置をレンタルする。この録音装置でバント演奏を録音する。練習が終了すると、録音装置をアップロード装置に接続して録音データをサーバ装置にアップロードする。アップロードののち録音装置はスタジオに返却される。バンドメンバは、そのまま帰宅し、自宅のパソコンでサーバ装置にアクセスし、アップロードしておいた録音データをダウンロードしてそのパソコンまたはオーディオ装置で再生することができる。これにより、バンドメンバは、練習終了後、録音テープ等を持ち帰る必要がなくなるとともに、複数のバンドメンバにダビング・頒布するという手間を省くことができる。
【０００９】
請求項２の発明は、上記発明において、サーバ装置は、アップロード装置から送信されてきた認証データを認証したのち、録音データのアップロードを許可し、ユーザ端末装置から送信されてきた認証データを認証したのち、この認証データに対応する録音データをダウンロードすることを特徴とする。
【００１０】
この発明では、認証データによる認証をしたのち、録音データのアップロードおよびダウンロードを許可する。これにより、他のバンドの録音データを勝手にまたは誤ってダウンロードすることを無くすことができる。
【００１１】
請求項３の発明は、上記発明において、録音装置は、記憶手段に複数の録音データを記憶しており、アップロード装置は、録音手段の記憶手段に記憶されている複数の録音データのなかから選択された録音データのみをサーバ装置にアップロードすることを特徴とする。
【００１２】
録音装置に複数の録音データ（テイク）が記憶されており、そのうち再聴が必要なものが一部の場合、すなわち、全部をアップロードしても無駄な場合がある。この発明では、アップロード装置においてアップロード時に必要な録音データを選択することができ、アップロード装置は、選択された録音データのみをアップロードする。これにより、無駄な録音データのアップロードを無くすことができ、サーバ装置の負担を軽くすることができるとともに、アップロードを有料としてシステムが運用されている場合に、ユーザであるバンドメンバに対する課金を少なくすることができる。
【００１３】
請求項４の発明は、上記発明において、サーバ装置は、録音データ記憶手段に複数の録音データを記憶しており、ユーザ端末装置によって選択された録音データのみを当該ユーザ端末装置に対してダウンロードすることを特徴とする。
【００１４】
複数のバンドメンバが聴きたい録音は全て同じではなく、メンバによって再聴したい録音が異なる場合がある。その場合、メンバのうち誰かが聴きたい録音データは全てアップロードされるため、各バンドメンバにとって不要な録音データもアップロードされる。この発明では、このような場合に、各バンドメンバが自分の聴きたい録音データを選択すれば、サーバ装置がその録音データのみをダウンロードしてくる。これにより、サーバ装置のダウンロード処理の負荷を軽減することができるとともに、各バンドメンバは、不要な録音データをダウンロードしなくてもすむ。
【００１５】
請求項５の発明は、上記発明において、アップロード装置は、録音データをサーバ装置にアップロードしたのち、録音装置の記憶手段の録音データを自動消去することを特徴とする。
【００１６】
上記のように録音装置は、練習スタジオで貸出し・返却されるものであるため、次々と別のバンドが使用する。このため、前に使用したバンドの録音が残っていると、次のバンドにその演奏が聴かれてしまうおそれや、次のバンドが録音できるメモリ容量が少なくなってしまう。そこで、この発明では、アップロード装置が録音データのアップロードののち、録音装置の録音データを消去する。これにより、ユーザや受付係員が注意を払うことなく上記問題点を解消した。
【００１７】
請求項６の発明は、上記発明において、アップロード装置は、一時記憶手段を備え、録音データを録音装置から一時記憶手段にコピーしたのちサーバ装置にアップロードし、アップロード完了後、一時記憶手段にコピーした録音データを消去することを特徴とする。
【００１８】
この発明では、アップロード装置が録音装置から録音データを吸い上げて一時記憶手段にコピーしたのち、この一時記憶手段にコピーした録音データをアップロードする。これにより、途中で録音装置が外された場合でもアップロードが中断することがなく、アップロードを安全に行うことができる。
【００１９】
請求項７の発明は、上記発明において、サーバ装置は、アップロード装置からアップロードされてから一定期間が経過したとき、録音データを消去することを特徴とする。
【００２０】
請求項８の発明は、上記発明において、サーバ装置は、ユーザ端末装置によるダウンロード回数が所定回数に達したとき、録音データを消去する。
【００２１】
サーバ装置に保存している録音データは、各バンドメンバが一度ずつダウンロードすると、もうサーバ装置に保存しておく必要がなくなる。また、上記のようにバンドメンバのうち一部のメンバしかダウンロードしない場合もあり得るため、アップロードしてから一定期間が経過したデータも不要であると考えられる。そこで、この発明では、アップロードしてから一定期間が経過した録音データや所定回数ダウンロードされた録音データは、サーバ装置から消去する。これにより、サーバ装置に不要な録音データが残らずサーバ装置の記憶領域を効率的に使用することができる。
【発明の効果】
【００２２】
以上のように、この発明によれば、スタジオで録音した録音データをネットワークを経由して各バンドメンバの自宅に配信することができるため、録音ずみの媒体をダビングしたり、郵送で配布したりする手間が省けるため、ユーザはバンド演奏の練習により集中することができる。
【発明を実施するための最良の形態】
【００２３】
図１は、この発明の実施形態である録音データ配信システムの構成を説明する図である。このシステムは、練習スタジオ施設Ｓのスタジオを利用してバンド演奏の練習を行ったユーザ（バンドメンバ）が、その演奏の録音データを練習スタジオ施設Ｓからインターネット上のサーバ装置４にアップロードし、帰宅したのち、自宅のパソコン５を用いてその録音データをダウンロードして聞き直すことができるようにしたものである。
【００２４】
まず、システムの概略構成について説明する。
バンド演奏を練習する練習スタジオ施設Ｓには、１または複数のスタジオ（練習室）が設けられるとともに、アップロード装置２および管理装置３が設置されている。アップロード装置２は、バンドメンバであるユーザが自分で操作できるように練習スタジオ施設Ｓのロビーに設置され、管理装置３は、パーソナルコンピュータで構成され、スタジオ施設の係員が操作するように受付内部に設置されている。また、練習スタジオ施設Ｓには、１または複数の（スタジオ数と同数の）可搬の録音装置１が準備されており、スタジオを使用して練習を行うもの（会員バンド）に貸し出される。
【００２５】
アップロード装置２、管理装置３は、インターネット６を介してサーバ装置４に接続されている。サーバ装置４は、登録したバンドである会員の認証データ（ＩＤ番号、パスワード）を含む会員データを登録する会員データベース４１、および、アップロード装置２からアップロードされた各バンドの録音データを記憶する録音データ記憶部４２を有している。録音データ記憶部４２には、各会員（バンド）毎のディレクトリが設定され、各ディレクトリの下にそのバンドの１または複数の録音データが記憶されている。
【００２６】
このシステムのユーザであるバンドのメンバは、自宅にパーソナルコンピュータ等で構成されるユーザ端末装置５を有しており、このユーザ端末装置５を用いてインターネット経由でサーバ装置４にアクセスすることによって上記アップロードした録音データをダウンロードすることができる。ダウンロードした録音データは、パーソナルコンピュータ５の再生機能を用いてスピーカから再生することができる。
【００２７】
これにより、各バンドメンバは、練習ののち録音媒体を複製して持ち帰らなくても、また複製した録音媒体を後日配布しなくても、オンラインでそのときの録音データを入手することができる。
【００２８】
つぎに、各装置の詳細構成および動作について説明する。
録音装置１は、電気機器の操作に不慣れなものでも簡略な操作で容易に録音・再生をすることができるように構成されたオールインワンのＭＰ３録音機であり、たとえばサウンド・スケッチャー（商標）などが用いられる。この装置は、２チャンネルのマイク１１、ＭＰ３録音部１２、記憶部１３およびＵＳＢインタフェース１４を有している。ＭＰ３録音部１２は、２チャンネルのマイク１１から入力された音声信号を増幅するマイクアンプ、この音声信号をＡ／Ｄ変換するＡ／Ｄコンバータ、Ａ／Ｄコンバータでデジタル化された音声信号をリアルタイムでＭＰ３にエンコードするエンコーダを含んでいる。記憶部１３は、半導体メモリ（フラッシュメモリ）で構成されている。ＭＰ３録音部１２のエンコード・ビットレートを１２８ｋｂｐｓとすると、１２８ＭＢの記憶部１３で２時間強の録音をすることができる。ＭＰ３録音部１２は、録音ボタン（不図示）が押されたとき録音を開始し、ストップボタン（不図示）が押されたとき録音を終了する。この録音開始〜録音終了までの間のＭＰ３データを１テイクの録音データ(ｍｐ３ファイル）として記憶部１３に書き込む。利用者が複数回のテイクの録音をすると、それぞれインデックスが付加された別々の録音データとして記憶部１３に記憶される。
【００２９】
録音装置１とアップロード装置２とをＵＳＢ接続すると、録音装置１はアップロード装置２からＵＳＢ半導体メモリとして認識される。すなわち記憶部１３のみがアップロード装置２に認識される。したがって、記憶部１３に記憶された録音データは、録音装置１を操作しなくてもアップロード装置２によって自動的に読み出しおよび消去することができる。
【００３０】
なお、図示しないが、この録音装置１は、録音データを再生するためのスピーカアンプおよびスピーカも内蔵している。このときＭＰ３録音部１２のエンコーダはデコーダとして機能する。
【００３１】
この録音装置１は、練習スタジオ施設Ｓの受付において、スタジオを利用する会員バンドに対して貸し出され、スタジオの利用が終わり、バンドメンバであるユーザが録音データをサーバ装置４にアップロードしたのち受付に返却される。
【００３２】
アップロード装置２は、録音データ一時記憶部２１、操作部２２、ＵＳＢインタフェース２３を備えたコンピュータ装置であり、練習スタジオ施設Ｓのロビーに設置されている。録音データ一時記憶部２１は、ＵＳＢインタフェース２３を介して接続された録音装置１から録音データを吸い上げてサーバ装置４にアップロードするときにテンポラリメモリとして使用される記憶手段であり、たとえばハードディスクが用いられる。操作部２２は、キーボードおよびディスプレイを有し、利用者によるＩＤ番号(UserID)・パスワード(Password)の入力を受け付けたり、録音装置１（の記憶部１３）に記憶された複数の録音データのうちどの録音データをアップロードするかの選択を受け付けたりする。
【００３３】
アップロード装置２は、インターネット６を用いた通信機能を備えており、インターネット６を介してサーバ装置４と接続されている。利用者からＩＤ番号・パスワードが入力されると、これをサーバ装置４に送信して認証を受け、認証がＯＫであれば、録音装置１から録音データを吸い上げて（録音データ一時記憶部２１に一時記憶して）、サーバ装置４に転送する。また、この転送ののち、録音装置１に録音データが残らないように、記憶部１３の内容を消去する。
【００３４】
管理装置３は、練習スタジオ施設Ｓの係員が操作するパーソナルコンピュータである。係員は、この管理装置３を用いて、練習スタジオ施設Ｓを使用するバンドの会員登録を行ったり、各会員のサーバ装置４の利用状況に応じて課金を行ったりする。係員が入力した会員情報は、サーバ装置４にアップロードされて会員データベース４１に登録される。また、アップロード装置２からサーバ装置４に録音データがアップロードされたとき、サーバ装置４はその会員のサーバ利用状況を管理装置３に送信する。練習スタジオ施設は、この利用状況に基づいて会員に課金を行う。
【００３５】
サーバ装置４は、インターネット６に接続されたコンピュータ装置であり、インターネットを介した通信機能およびデータストレージ機能を備えている。アップロード装置２またはバンドメンバであるユーザのユーザ端末装置５からアクセスがあったとき、このアクセスを許可する条件として会員（バンド）のＩＤ番号およびパスワードによる認証を行う。なお、複数のメンバーで構成されるバンドであっても、そのバンドを１会員として扱い、１つのＩＤ番号およびパスワードが付与される。ただし、メンバー人数は会員情報として会員データベース４１に登録される。
【００３６】
アップロード装置２から送信されてきた認証データ（ＩＤ番号・パスワード）の認証がＯＫであったとき、この会員バンドの録音データのアップロードを受け付け、録音データ記憶部４２に設定した当該会員用ディレクトリにこの録音データを記憶する。
【００３７】
また、ユーザのユーザ端末装置５から送られてきた認証データの認証がＯＫであったときは、このユーザによる録音データのダウンロードを許可する。ダウンロードを許可する録音データは、認証された会員（バンド）のディレクトリに記憶されている録音データのみである。
【００３８】
各録音データは、登録から一定期間（例えば２週間程度）が経過したとき、または、ダウンロード回数が所定回数（例えば会員バンドのメンバー数分）に達したときサーバ装置４の管理プログラムによって消去される。
【００３９】
なお、各会員別のディレクトリ（図１におけるバンドＡディレクトリ、バンドＢディレクトリ、バンドＣディレクトリ）は、会員が会員データベースに登録されたとき予め設定しておいてもよいが、アップロード装置２から録音データがアップロードされたとき（その録音データが保存されている期間）のみ設定するようにしてもよい。
【００４０】
図２、図３は、練習スタジオ施設Ｓおよびユーザ（バンドメンバ）の自宅Ｈにおける処理の流れを示すフローチャートである。また、図４は、アップロード装置２およびユーザ端末装置５の画面表示の例を示す図である。
図２において、録音データをアップロードしようとするバンドは、まず受付において事前の会員登録を行う。この会員登録によってバンドが会員となり、会員毎にユニークなＩＤ番号およびパスワードが付与される（ｓ１０１）。このとき、練習スタジオ施設Ｓの係員は、会員登録を行った会員の認証データ、バンドメンバの人数等を含む会員情報をサーバ装置４の会員データベース４１に登録する。これにより、会員は、会員登録を一度行えば、ＩＤ番号およびパスワードを継続的に使用することができる。
【００４１】
会員登録をしている会員バンドがスタジオをレンタルするとき、スタジオ受付にて録音装置１が貸し出される（ｓ１０２）。レンタルしたスタジオで演奏を練習し、録音装置１を用いて１〜複数テイクの演奏を録音する（ｓ１０３）。練習の終了後、バンドメンバーは、録音装置１を練習スタジオ施設Ｓのロビーに設置れているアップロード装置２にＵＳＢケーブルで接続する（ｓ１０４）。アップロード装置２は、録音装置１がＵＳＢ接続されると、操作部のディスプレイにＩＤ番号とパスワードを入力を促す表示を自動表示する（ｓ１０５）。この表示は、たとえば図４（Ａ）に示すようなものである。会員がこの表示に従い、ＩＤ番号とパスワードを入力する（ｓ１０６）。このＩＤ番号とパスワードは、ｓ１０１で登録したものである。アップロード装置２は、この入力されたＩＤ番号・パスワードをサーバ装置４に送信して認証を受ける（ｓ１０７）。認証がＯＫであれば、ｓ１１０以下の処理を行う。もし、ＩＤ番号・パスワードの認証がＮＧであれば、アップロードが不可であるため、ディスプレイに図３（Ｂ）に示すようなＩＤ番号・パスワードの再入力を促す表示を行い（ｓ１０９）、ｓ１０５にもどる。この流れのなかでユーザがキャンセルボタンをオンした場合には、処理は途中で終了する。。
【００４２】
認証がＯＫであった場合、アップロード装置２は、録音装置１の記憶部１３に記憶されている録音データを録音データ一時記憶部２１に吸い上げ（ｓ１１０）、この吸い上げた録音データをインターネット６を介してサーバ装置４にアップロードする（ｓ１１１）。サーバ装置４は、この会員用のディレクトリを設定し、そのディレクトリにこのアップロードされてきた録音データを保存（登録）する。アップロード装置２は、アップロードした録音データがサーバ装置４に保存されるまで通信を監視しており、アップロードか正常に完了したことを確認したとき（ｓ１１２）、アップロード装置２内の録音データ一時記憶部２１に記憶していた録音データを消去するとともに（ｓ１１３）、ＵＳＢ接続している録音装置１の記憶部１３をクリアして、録音データを消去する（ｓ１１４）。
【００４３】
これにより、録音装置１の次の利用者が記憶部１３をフルに使用することができるとともに、次の利用者に録音が聴かれることがない。
【００４４】
録音データのアップロードを受けたサーバ装置４は、受け取った録音データのファイル数、容量、アップロード回数等のサーバ利用データを管理装置３に送信する（ｓ１１５）。管理装置３は、このサーバ利用データを受信してこの会員に対する料金を算出する。
【００４５】
アップロードおよび録音データの消去が終了すると、アップロード装置２は、ＵＳＢケーブルを抜いてくださいの表示（図４（Ｃ））を行う（ｓ１１４）。ユーザは、この表示を見て、録音装置１をアップロード装置２から切り離してスタジオ受付に返却する（ｓ１１６）。このとき、受付の管理装置３では、この会員に対するサーバ利用料金が算出されているため、会員は、録音装置１を返却するとともに、サーバ利用料金の支払いを行う（ｓ１１７）。
【００４６】
なお、録音装置１で複数テイクの録音をしている場合に、その全てをサーバ装置４にアップロードしてもよいが、所望のテイクのみを選択してサーバ装置４にアップロードできるようにしてもよい。この場合、上記ｓ１１０の処理において、アップロード装置２は、図４（Ｄ）に示すような画面を表示する。ユーザが表示された録音データのなかからアップロードしたい録音データを選択してＯＫボタンを押せば、選択された録音データのみサーバ装置４にアップロードする。なお、図４（Ｄ）の画面において、選択された録音データは表示が反転するようになっている。
【００４７】
つぎに、図３を参照して、バンドメンバであるユーザがユーザ端末装置５で録音データを聴く場合の処理について説明する。サーバ装置４は、ウェブサーバ機能を有しており、ユーザ端末装置５は、ウェブブラウザでサーバ装置４にアクセスすることができる。
【００４８】
ユーザは、ユーザ端末装置５を用いてインターネット６を介してサーバ装置４にアクセスする（ｓ１２０）。サーバ装置４は、ユーザ端末装置からアクセスがあると、ＩＤ番号・パスワードの入力を促す表示画面（図４（Ａ））を送信する（ｓ１２１）。これに対してユーザは自分のバンドに割り当てられたＩＤ番号およびパスワードを入力する（ｓ１２２）。ユーザ端末装置５は、この入力されたＩＤ番号・パスワードをサーバ装置４に送信して認証を受ける（ｓ１２３）。認証がＯＫであれば、サーバ装置４は、この会員バンドに設定されたディレクトリに記憶している録音データをユーザ端末装置５に対してダウンロードする（ｓ１２６）。ユーザ端末装置５は、このダウンロードした録音データ（ｍｐ３ファイル）を自動または手動操作で再生する（ｓ１２７）。
【００４９】
もし、ｓ１２３でＩＤ番号・パスワードの認証がＮＧであれば、ダウンロードが不可であるため、ディスプレイに図４（Ｂ）に示すようなＩＤ番号・パスワードの再入力を促す表示を行い（ｓ１２５）、ｓ１２１にもどる。この流れのなかでユーザがキャンセルボタンをオンした場合には、処理は途中で終了する。
【００５０】
なお、サーバ装置４のこのバンドのディレクトリに複数の録音データが記憶されている場合、その全てをユーザ端末装置５にダウンロードしてもよいが、所望の録音データ（テイク）のみを選択してユーザ端末装置５にダウンロードできるようにしてもよい。この場合、上記ｓ１２６の処理において、サーバ装置４はユーザ端末装置５に対して図４（Ｄ）に示すような画面を送信する。ユーザがこの表示のなかから所望の録音データを選択してＯＫボタンを押せば、この情報がサーバ装置４に送信され、選択された録音データのみがサーバ装置４からユーザ端末装置５にダウンロードされる。
【００５１】
つぎに、上記録音データ配信システムの各装置の動作をフローチャートを参照して説明する。
図５は、アップロード装置の動作を示すフローチャートである。録音装置１が接続されるまでｓ１で待機している。録音装置１が接続されると、ディスプレイにＩＤ番号・パスワードの入力を促す表示を行う（ｓ２）。ユーザがこの表示に応じてＩＤ番号・パスワードを入力すると、このＩＤ・パスワードを認証データとしてサーバ装置４に送信する（ｓ３）。これに対する返信としてサーバ装置４から認証結果を受信する（ｓ４）。認証結果がＯＫであれば（ｓ５）、ｓ６以下の処理に進む。認証結果がＮＧであればｓ２にもどる。
【００５２】
ｓ６では、録音装置１の記憶部１３に記憶されている録音データのインデックスを読み取り、これをディスプレイに表示して（ｓ７）、アップロードしたい録音データの選択を受け付ける。選択操作が完了すると（ｓ８）、選択された録音データを録音装置１からこのアップロード装置２の録音データ一時記憶部（テンポラリメモリ）２１にコピーし（ｓ９）、このコピーした録音データをサーバ装置４にアップロードする（ｓ１０）。このアップロードが正常に完了するまで監視し（ｓ１１）、アップロードが正常に完了すると、テンポラリメモリを消去するとともに（ｓ１２）、録音装置１の記憶部１３をクリアして録音データを消去する（ｓ１３）。アップロード装置２に対して録音装置１はＵＳＢ半導体メモリとして認識されるため、ファイルの消去は録音装置１を動作させなくても可能である。
【００５３】
こののち、ディスプレイに接続の解除（ＵＳＢケーブルを抜くこと）を指示し（ｓ１４）、ＵＳＢケーブルが抜かれると（ｓ１５）、ｓ１の待機動作にもどる。
【００５４】
図６、図７は、サーバ装置４の動作を示すフローチャートである。図６（Ａ）は会員登録動作を示すフローチャートである。管理装置３からＩＤ番号・パスワードを含む会員情報が送信されてくると（ｓ１８）、この会員情報を会員データベースに登録する（ｓ１９）。
【００５５】
同図（Ｂ）は、録音データのアップロード動作を示すフローチャートである。アップロード装置２からＩＤ番号・パスワードを受信すると（ｓ２０）、会員データベースを検索してこのＩＤ番号・パスワードが正しいか否かを認証する（ｓ２１）。認証がＯＫの場合には（ｓ２２）、認証ＯＫを返信して（ｓ２４）、録音データ記憶部４２にこの会員のためのディレクトリを作成する（ｓ２５）。そのとき既にこの会員のためのディレクトリが存在する場合には、それを利用する。認証がＮＧであった場合には（ｓ２２）、認証ＮＧの返信をして（ｓ２３）動作を終了する。
【００５６】
アップロード装置２に対して認証ＯＫの返信をすると、アップロード装置２から録音データがアップロードされてくるため、この録音データを作成したディレクトリに書き込む（ｓ２６）。全てのデータを受信して上記ディレクトリに書き込む処理が完了すると（ｓ２７）、受信が正常に完了した旨のメッセージをアップロード装置２に送信し（ｓ２８）、管理装置３に対して今回アップロードされてきたファイル数（録音データ数）および全データ量を含むこの会員のサーバ利用状況データを送信する（ｓ２９）。
【００５７】
図７は、ユーザ端末装置からアクセスがあった場合の動作を示すフローチャートである。ユーザ端末装置５からアクセスがあると（ｓ３０）、ＩＤ番号・パスワードを要求する画面をダウンロードする（ｓ３１）。これに対応してユーザ端末装置５から（ユーザが入力した）ＩＤ番号・パスワードを受信すると（ｓ３２）、会員データベースを検索してこのＩＤ番号・パスワードが正しいか否かを認証する（ｓ３３）。認証結果がＯＫであれば、ｓ３５以下の処理を実行し、認証結果がＮＧであれば、認証結果がＮＧであった旨の返信をして動作を終了する（ｓ４０）。
【００５８】
認証結果がＯＫであった場合において、この会員のディレクトリを検索してこのディレクトリに登録されている録音データをリスト化し（ｓ３５）、このリストを返信する（ｓ３６）。ユーザ端末装置５ではこのリストを受信して表示し、ユーザがダウンロードしたい録音データを選択する。この選択結果がユーザ端末装置５からサーバ装置４に送信されてくる。サーバ装置４は、この選択リストを受信し（ｓ３７）、録音データのうちこのリストに記載されている録音データのみをダウンロードする（ｓ３８）。こののち、このダウンロードした録音データについてのダウンロード回数をカウントアップして（ｓ３９）、動作を終了する。
【００５９】
上記実施形態では、録音データのアップロード毎にサーバ装置４から管理装置３へその会員の利用状況が送信されるが、この利用状況の送信はいつ行ってもよい。また、課金（スタジオ施設から会員への料金の請求）も、アップロード毎に行っているが、時期を定めてまとめて請求するようにしてもよい。
【００６０】
また、上記実施形態では、録音装置１にＭＰ３圧縮機能を備えているが、録音装置１は、非圧縮でオーディオデータを記録し、アップロード装置２がこれを圧縮してサーバ装置２にアップロードするようにしてもよい。なお、圧縮形式はＭＰ３に限定されない。
【００６１】
また、上記実施形態では、アップロード装置２を練習スタジオ施設Ｓのロビーに設置してユーザが操作するようにしているが、受付内に設置して係員が操作するようにしてもよい。また、録音装置１の記憶部１３に記憶されている録音データの消去はアップロード装置２が自動的に行っているが、ユーザが録音装置１を操作して自分で消去するようにしてもよい。
【図面の簡単な説明】
【００６２】
【図１】この発明の実施形態である録音データ配信システムの構成を示す図
【図２】同録音データ配信システムの処理の流れを説明するフローチャート
【図３】同録音データ配信システムの処理の流れを説明するフローチャート
【図４】アップロード装置および自宅端末の表示画面の例を示す図
【図５】アップロード装置の動作を示すフローチャート
【図６】サーバ装置の動作を示すフローチャート
【図７】サーバ装置の動作を示すフローチャート
【符号の説明】
【００６３】
Ｓ…練習スタジオ施設
Ｈ…バンドメンバの自宅
１…録音装置
１３…記憶部
２…アップロード装置
２１…録音データ一時記憶部
２２…操作部
３…管理装置
４…サーバ装置
４１…会員データベース
４２…録音データ記憶部
５…ユーザ端末装置
６…インターネット
【図１】
2005316891.tif 000003
【図２】
2005316891.tif 000004
【図３】
2005316891.tif 000005
【図４】
2005316891.tif 000006
【図５】
2005316891.tif 000007
【図６】
2005316891.tif 000008
【図７】
2005316891.tif 000009